(57)【要約】【課題】本発明は、より省スペースでより低コストで、流速の異なる複数の領域を形成できる気流整流装置およびこれを備えた気流整流システムを提供する。【解決手段】本発明の気流整流装置１２は、流速を持つ気流を受け入れる流入開口ＯＰ１を形成した流入開口部と、流入開口ＯＰ１で受け入れた気流を整流する整流部１２１〜１２４と、整流部１２１〜１２４で整流された気流を流出する流出開口ＯＰ２を形成した流出開口部とを備え、整流部１２１〜１２４は、流入開口ＯＰ１から流入された気流が流れる流通方向と交差する交差面を形成する交差面領域に、互いに流通抵抗の異なる複数の領域ＡＲ１、ＡＲ２を形成する１または複数の流通抵抗部１２４を備える。【選択図】図２
2019100636.tif 000002
【特許請求の範囲】
【請求項１】
流速を持つ気流を受け入れる流入開口を形成した流入開口部と、
前記流入開口で受け入れた気流を整流する整流部と、
前記整流部で整流された気流を流出する流出開口を形成した流出開口部とを備え、
前記整流部は、前記流入開口から流入された気流が流れる流通方向と交差する交差面を形成する交差面領域に、互いに流通抵抗の異なる複数の領域を形成する１または複数の流通抵抗部を備える、
気流整流装置。
【請求項２】
前記整流部は、
前記交差面に拡がる姿勢で前記交差面に平行に配設された、複数の第１貫通孔を持つ第１多孔板、または、空気を清浄するフィルタ部と、
前記第１多孔板または前記フィルタ部に対し所定の第１間隔を空けて前記交差面に拡がる姿勢で前記交差面に平行に配設された、複数の第２貫通孔を持つ第２多孔板と、
前記第２多孔板に対し所定の第２間隔を空けて前記交差面に拡がる姿勢で前記交差面に平行に配設された、複数の第３貫通孔を持つ第３多孔板とを備え、
前記流通抵抗部は、前記第２多孔板と前記第３多孔板との間に配設されている、
請求項１に記載の気流整流装置。
【請求項３】
前記複数の領域は、前記交差面領域の中央に位置する所定の面積を持つ第１領域と、前記第１領域の外周を所定の幅で周回している環状の第２領域とである、
請求項１または請求項２に記載の気流整流装置。
【請求項４】
請求項１ないし請求項３のいずれか１項に記載の気流整流装置と、前記気流を生成する送風装置とを備える、
気流整流システム。
【請求項５】
請求項１ないし請求項３のいずれか１項に記載の第１気流整流装置と、前記第１気流整流装置における前記気流を生成する送風装置と、請求項１ないし請求項３のいずれか１項に記載の第２気流整流装置と、前記第２気流整流装置における前記流出開口から流出する気流を排気する排気装置とを備え、
前記第１および第２気流整流装置は、前記第１気流整流装置における前記流出開口と前記第２気流整流装置における前記流入開口とが所定の第３間隔を空けて互いに対向するように配設されている、
気流整流システム。
【発明の詳細な説明】
【技術分野】
【０００１】
本発明は、気流を整流する気流整流装置および気流整流システムに関し、特に、流速の異なる複数の領域を形成できる気流整流装置およびこれを備えた気流整流システムに関する。
【背景技術】
【０００２】
従来から、気流を整流する気流整流装置が知られており、この気流整流装置は、例えば、エアカーテン、クリーンブース、クリーンルーム等に用いられている。このような気流整流装置は、例えば、特許文献１に開示されている。
【０００３】
この特許文献１に開示された一様空気流吹出装置は、螺旋流発生回転羽根車の排風側直前面に、該回転羽根車の螺旋方向に交差する多数の壁体を有すると共に、軸方向に空気を透過する、例えばハニカム板等の通気抵抗体を設置し、さらに前記通気抵抗体の排風側前面にやや間隔を開けて、全面に亘って開孔率が均一な多孔板を設置したものである。
【先行技術文献】
【特許文献】
【０００４】
【特許文献１】特開２００１−２８９５００号公報
【発明の概要】
【発明が解決しようとする課題】
【０００５】
ところで、複数の領域に互いに異なる流速で気流を流したい場合がある。このような場合、従来では、１個の気流整流装置と１個の送風装置とを備える気流整流システムが複数の領域の個数に応じた個数だけ用意され、複数の領域それぞれに前記複数の気流整流システムが設けられていた。例えば、第１および第２領域それぞれに第１および第２流速で気流を流したい場合、第１領域には、第１流速の気流を生成する１個の第１気流整流システムが用意されて配設され、第２領域には、第２流速の気流を生成する１個の第２気流整流システムが用意されて配設されていた。このため、気流整流システムにおける配設スペースやコストが、複数の領域の個数に応じて比例的に増大してしまう。
【０００６】
本発明は、上述の事情に鑑みて為された発明であり、その目的は、より省スペースでより低コストで、流速の異なる複数の領域を形成できる気流整流装置およびこれを備えた気流整流システムを提供することである。
【課題を解決するための手段】
【０００７】
本発明者は、種々検討した結果、上記目的は、以下の本発明により達成されることを見出した。すなわち、本発明の一態様にかかる気流整流装置は、流速を持つ気流を受け入れる流入開口を形成した流入開口部と、前記流入開口で受け入れた気流を整流する整流部と、前記整流部で整流された気流を流出する流出開口を形成した流出開口部とを備え、前記整流部は、前記流入開口から流入された気流が流れる流通方向と交差する交差面を形成する交差面領域に、互いに流通抵抗の異なる複数の領域を形成する１または複数の流通抵抗部を備える。
【０００８】
このような気流整流装置は、流通抵抗部を備えるので、流入開口から受け入れた気流から、複数の領域それぞれを流れる流速の異なる複数の気流を形成できるので、従来のように、気流整流装置および送風装置を複数の領域の個数に応じた個数だけ用意する必要がない。このため、上記気流整流装置は、より省スペースでより低コストで、流速の異なる複数の領域を形成できる。
【０００９】
他の一態様では、上述の気流整流装置において、前記整流部は、前記交差面に拡がる姿勢で前記交差面に平行に配設された、複数の第１貫通孔を持つ第１多孔板、または、空気を清浄するフィルタ部と、前記第１多孔板または前記フィルタ部に対し所定の第１間隔を空けて前記交差面に拡がる姿勢で前記交差面に平行に配設された、複数の第２貫通孔を持つ第２多孔板と、前記第２多孔板に対し所定の第２間隔を空けて前記交差面に拡がる姿勢で前記交差面に平行に配設された、複数の第３貫通孔を持つ第３多孔板とを備え、前記流通抵抗部は、前記第２多孔板と前記第３多孔板との間に配設されている。好ましくは、上述の気流整流装置において、前記第１多孔板は、パンチング板であり、前記第２および第３多孔板は、それぞれ、メッシュスクリーンである。好ましくは、上述の気流整流装置において、前記フィルタ部は、ＨＥＰＡ（Ｈｉｇｈ  Ｅｆｆｉｃｉｅｎｃｙ  Ｐａｒｔｉｃｕｌａｔｅ  Ａｉｒ）フィルタ、ＵＬＰＡ（Ｕｌｔｒａ  Ｌｏｗ  Ｐａｒｔｉｃｌａｔｅ  Ａｉｒ）フィルタ、高性能フィルタ、中性能フィルタおよび中高性能フィルタのうちのいずれかであり、前記第２および第３多孔板は、それぞれ、メッシュスクリーンである。
【００１０】
これによれば、第１多孔板（またはフィルタ部）、第２多孔板および第３多孔板をこの順で所定の各間隔を空けて流入開口から流出開口に至る方向に沿って配設するという簡単な構成で整流部を形成できる。
【００１１】
他の一態様では、これら上述の気流整流装置において、前記複数の領域は、前記交差面領域の中央に位置する所定の面積を持つ第１領域と、前記第１領域の外周を所定の幅で周回している環状の第２領域とである。好ましくは、上述の気流整流装置において、前記第１領域を流れる第１気流の第１流速は、前記第２領域を流れる第２気流の第２流速よりも速い。好ましくは、上述の気流整流装置において、前記第１領域の第１輪郭形状および前記第２領域の第２輪郭形状は、それぞれ、四角形である。好ましくは、上述の気流整流装置において、前記第１領域の第１輪郭形状および前記第２領域の第２輪郭形状は、それぞれ、円形である。
【００１２】
このような気流整流装置は、第１領域を流れる第１気流を、第２領域を流れる第２気流で外部から遮蔽して保護できる。
【００１３】
本発明の他の一態様にかかる気流整流システムは、これら上述のいずれかの気流整流装置と、前記気流を生成する送風装置とを備える。
【００１４】
このような気流整流システムは、これら上述のいずれかの気流整流装置を備えるので、１個の送風装置で生成された気流から、複数の領域それぞれを流れる流速の異なる複数の気流を形成できるので、従来のように、気流整流装置および送風装置を備える気流整流システムを複数の領域の個数に応じた個数だけ用意する必要がない。このため、上記気流整流システムは、より省スペースでより低コストで、流速の異なる複数の領域を形成できる。
【００１５】
本発明の他の一態様にかかる気流整流システムは、これら上述のいずれかの第１気流整流装置と、前記第１気流整流装置における前記気流を生成する送風装置と、これら上述のいずれかの第２気流整流装置と、前記第２気流整流装置における前記流出開口から流出する気流を排気する排気装置とを備え、前記第１および第２気流整流装置は、前記第１気流整流装置における前記流出開口と前記第２気流整流装置における前記流入開口とが所定の第３間隔を空けて互いに対向するように配設されている。
【００１６】
これによれば、いわゆるプッシュ・プル型の気流整流システムが提供できる。
【発明の効果】
【００１７】
本発明にかかる気流整流装置および気流整流システムは、より省スペースでより低コストで、流速の異なる複数の領域を形成できる。
【図面の簡単な説明】
【００１８】
【図１】実施形態における気流整流システムの構成を示す断面図である。
【図２】前記気流整流システムにおける気流整流装置の構成を説明するための分解者斜視図である。
【図３】前記気流整流システムにおいて、目標の流速を得るための送風装置の選定方法を説明するための図である。
【図４】第１実施例の気流整流システムの構成を示す断面図である。
【図５】前記第１実施例の気流整流システムにおける流速（風速）の測定位置を説明するための平面図である。
【図６】第１変形形態の気流整流システムの構成を説明するための図である。
【図７】第２変形形態の気流整流システムの構成を説明するための図である。
【図８】第３変形形態の気流整流システムの構成を説明するための図である。
【図９】第２実施例の気流整流システムの構成を示す断面図である。
【図１０】第２実施例の気流整流システムにおける流通抵抗部の設計値を説明するための平面図である。
【図１１】前記第２実施例の気流整流システムにおける流速（風速）の測定位置を説明するための平面図である。
【発明を実施するための形態】
【００１９】
以下、図面を参照して、本発明の１または複数の実施形態が説明される。しかしながら、発明の範囲は、開示された実施形態に限定されない。なお、各図において同一の符号を付した構成は、同一の構成であることを示し、適宜、その説明を省略する。本明細書において、総称する場合には添え字を省略した参照符号で示し、個別の構成を指す場合には添え字を付した参照符号で示す。
【００２０】
（実施形態）
実施形態における気流整流システムおよびこれに用いられる気流整流装置は、気流を整流するシステムおよび装置であり、本実施形態では、流速（風速）の異なる複数の３次元の領域を形成する。前記整流とは、気流の流通方向に直交する直交面上の複数点における各流速（各風速）の平均値に対し、流速の最大値および最小値が±２０％の範囲内に収まるように、前記気流の流速を調整することである。このような気流整流システムは、流速を持つ気流を生成する１個の送風装置と、前記１個の送風装置で生成された気流を、複数の領域それぞれで異なる流速となるように整流する気流整流装置とを備える。前記気流整流装置は、前記１個の送風装置で生成された、流速を持つ気流を、受け入れる流入開口を形成した流入開口部と、前記流入開口で受け入れた気流を整流する整流部と、前記整流部で整流された気流を流出する流出開口を形成した流出開口部とを備え、前記整流部は、前記流入開口から流入された気流が流れる流通方向と交差する交差面を形成する交差面領域に、互いに流通抵抗の異なる複数の領域を形成する１または複数の流通抵抗部を備える。前記流通抵抗とは、流体の流れ易さを表す。以下、このような気流整流システムおよび気流整流装置について、より具体的に説明する。
【００２１】
図１は、実施形態における気流整流システムの構成を示す断面図である。図２は、前記気流整流システムにおける気流整流装置の構成を説明するための分解者斜視図である。図３は、前記気流整流システムにおいて、目標の流速を得るための送風装置の選定方法を説明するための図である。
【００２２】
気流整流システムＳは、例えば、図１および図２に示すように、送風装置１１と、気流整流装置１２とを備える。
【００２３】
送風装置１１は、流速（風速）を持つ気流を生成する１個の装置であり、例えば、一方面を開口した略直方体の箱形状の第１ケーシング１１２と、第１ケーシング１１２の天面（または底面）に配設された送風機１１１とを備える。送風機１１１は、例えば、ファンフィルタユニット（ＦＦＵ）からフィルタを省略してファンのみとした装置である。
【００２４】
気流整流装置１２は、前記１個の送風装置１１で生成された気流を、複数の領域それぞれで異なる流速（風速）となるように整流する装置であり、例えば、第２ケーシング１２５と、第１ないし第３多孔板１２１〜１２３と、流通抵抗部１２４とを備える。これら第１ないし第３多孔板１２１〜１２３および流通抵抗部１２４は、気流を整流する整流部の一例であり、第２ケーシング１２５に収容される。
【００２５】
第２ケーシング１２５は、筒状の部材であり、その一方端部が、流速を持つ気流を受け入れる流入開口ＯＰ１を形成した流入開口部の一例であり、その他方端部が、前記整流部で整流された気流を流出する流出開口ＯＰ２を形成した流出開口部の一例である。前記整流部は、前記流入開口ＯＰ１で受け入れた気流を整流する。より具体的には、図２に示すように、第２ケーシング１２５は、前記整流部の外形状に応じて矩形断面を形成するように環状に順次に連結された板状の４枚（４個）の第１ないし第４側壁板１２５１〜１２５４（第２および第３側壁板１２５２、１２５３は作図上不図示）と、第１ないし第４側壁板１２５１〜１２５４それぞれの各一方端（図２に示す例では各上端）から、第１ないし第４側壁板１２５１〜１２５４それぞれと直交して内側に所定の幅（長さ）でそれぞれ延びる板状の第１接続しろ１２５６と、第１ないし第４側壁板１２５１〜１２５４それぞれの各他方端（図２に示す例では各下端）から、第１ないし第４側壁板１２５１〜１２５４それぞれと直交して内側に所定の幅（長さ）でそれぞれ延びる板状の第２接続しろ１２５７と、第１ないし第４側壁板１２５１〜１２５４それぞれの所定の各中間から、第１ないし第４側壁板１２５１〜１２５４それぞれと直交して内側に所定の幅（長さ）でそれぞれ延びる板状の押さえしろ（ガイド）１２５８とを備える。
【００２６】
ここで、製作中に、後述のように、第２多孔板１２２、流通抵抗部１２４および第３多孔板１２３が、この順で重ね合わされた状態で、第２ケーシング１２５内に収容可能なように、第１ないし第４側壁板１２５１〜１２５４のうちの少なくともいずれか、図２に示す例では、第４側壁板１２５４がネジによって脱着可能に構成されている。
【００２７】
第１ないし第３多孔板１２１〜１２３は、それぞれ、複数の第１ないし第３貫通孔１２１ａ〜１２３ａを持つ平面状（板状、シート状）の部材である。
【００２８】
第１多孔板１２１は、金属板に例えばプレス加工により多数の孔を形成したパンチング板１２１である。第１多孔板１２１は、本実施形態では、第２ケーシング１２５における第１接続しろ１２５６上に載置されネジ留めされる。これによって、第１多孔板１２１は、第２ケーシング１２５における流入開口ＯＰ１に流入される気流が流れる流通方向と交差する交差面（図２に示す例では前記流通方向と直交する直交面）に拡がる姿勢で前記交差面に平行に配設される。
【００２９】
第２および第３多孔板１２２、１２３は、それぞれ、メッシュスクリーン（メッシュシート）であり、例えば、鋼鉄製（例えばＳＵＳ製等）の線材を平織や綾織等で平面的に編み込んで形成されたものや、樹脂（例えばポリエステルやナイロン等）を平面的に網目状に形成したもの等である。強度の観点から、メッシュスクリーンは、鋼鉄製であることが好ましい。メッシュスクリーンは、１インチ当たりのメッシュ数（孔数）を示す規格化された数値によってその網目の細かさが表される。
【００３０】
流通抵抗部１２４は、流入開口ＯＰ１から流入された気流が流れる流通方向と交差する交差面を形成する交差面領域に、互いに流通抵抗の異なる複数の領域を形成するものである。流通抵抗部１２４は、互いに流通抵抗の異なる前記領域の個数に応じて１または複数である。流通抵抗部１２４は、例えば、流通する気流に所定の抵抗を与える部材であり、流通する気流に所定の抵抗を与えることで流入時の流速よりも流出時の流速を低減する。流通抵抗部１２４は、図２に示す例では、前記複数の領域として２個の第１および第２領域ＡＲ１、ＡＲ２を形成するために、平面視にて、中央に所定の面積を持つ矩形形状の貫通開口を形成した矩形形状の平面状（板状、シート状）の布、より詳しくは不織布である。
【００３１】
このような流通抵抗部１２４は、第２多孔板１２２と第３多孔板１２３との間に配設され、この状態で、第２多孔板１２２、流通抵抗部１２４および第３多孔板１２３は、第４側壁板１２５４を外すことによって第２ケーシング１２５に生じた開口から、第２接続しろ１２５７と押さえしろ１２５８との間で第２ケーシング１２５内に挿入され、第２接続しろ１２５７にネジ留めされる。そして、前記外された第４側壁板１２５４がネジ留めされ、前記状態で、第２多孔板１２２、流通抵抗部１２４および第３多孔板１２３は、第２ケーシング１２５内に収容される。これによって、第２多孔板１２２は、第１多孔板１２１（または後述の場合ではフィルタ部）に対し所定の第１間隔を空けて前記交差面に拡がる姿勢で前記交差面（図２に示す例では前記直交面）に平行に配設され、第３多孔板１２３は、第２多孔板１２２に対し所定の第２間隔を空けて前記交差面に拡がる姿勢で前記交差面（図２に示す例では前記直交面）に平行に配設される。そして、流通抵抗部１２４の前記貫通開口は、前記交差面領域の中央に位置する所定の面積を持つ第１領域ＡＲ１となり、前記貫通開口を環状に囲む流通抵抗部１２４は、第１領域ＡＲ１の外周を所定の幅で周回している環状の第２領域ＡＲ２となる。
【００３２】
このような構成の気流整流装置１２は、送風装置１１の第１ケーシング１１２における前記一方面の開口に、第２ケーシング１２５の流入開口ＯＰ１を合わせて送風装置１１に取り付けられる。なお、気流整流装置１２は、送風装置１１の第１ケーシング１１２における前記一方面の開口に、第２ケーシング１２５の流入開口ＯＰ１側から嵌め込まれて送風装置１１に取り付けられても良い。
【００３３】
ここで、このような構成の気流整流システムＳでは、送風装置１１は、次のように設計される。
【００３４】
まず、抵抗曲線Ｒ１および抵抗曲線Ｒ２それぞれが求められる。抵抗曲線Ｒ１は、第１および第２領域ＡＲ１、ＡＲ２の領域全てに流通抵抗部１２４が無い場合の系全体の抵抗を表し、送風装置１１のケーシング１１２におけるケーシング抵抗と、第１多孔板１２１（または後述の場合ではフィルタ部）における第１多孔板抵抗（またはフィルタ抵抗）と、第１領域ＡＲ１における第２多孔板１２２、流通抵抗部１２４および第３多孔板１２３から成る第１部分整流装置における第１部分整流装置抵抗との和から求められる。抵抗曲線Ｒ１は、例えば図３に示す曲線のように求められる。抵抗曲線Ｒ２は、第１および第２領域ＡＲ１、ＡＲ２の領域全てに流通抵抗部１２４が有る場合の系全体の抵抗を表し、送風装置１１のケーシング１１２における前記ケーシング抵抗と、第１多孔板１２１（または後述の場合ではフィルタ部）における前記第１多孔板抵抗（または前記フィルタ抵抗）と、第２領域ＡＲ２における第２多孔板１２２、流通抵抗部１２４および第３多孔板１２３から成る第２部分整流装置における第２部分整流装置抵抗との和から求められる。抵抗曲線Ｒ２は、例えば図３に示す曲線のように求められる。
【００３５】
次に、使用予定の送風機１１１が仮に決められ、そのカタログからＰＱ曲線が求められる。使用予定の送風機１１１が用意され、その実測からＰＷ曲線が求められても良い。そして、例えば図３に示すように、この送風機１１１のＰＱ曲線と上述の抵抗曲線Ｒ１、Ｒ２それぞれとの交点α１、α２が求められ、この交点α１、α２それぞれから第１および第２領域ＡＲ１、ＡＲ２それぞれを流通する各風量Ｑ１、Ｑ２が求められる。
【００３６】
一方、第１および第２領域ＡＲ１、ＡＲ２それぞれの面積および風速をＳ１、Ｓ２およびＶ１、Ｖ２とし、気流整流装置１２の断面積（第１ないし第３多孔板１２１〜１２３の平面積）をＳとすると、Ｓ＝Ｓ１＋Ｓ２、Ｑ１＝Ｓ×Ｖ１、Ｑ２＝Ｓ×Ｖ２であるので、気流整流システムＳの総風量ＱＴは、ＱＴ＝Ｓ１×Ｖ１＋Ｓ２×Ｖ２であるから、ＱＴ＝（Ｑ１×Ｖ１＋Ｑ２×Ｖ２）／Ｓと求められる。なお、風速Ｖ１、Ｖ２、断面積Ｓの各値は、設計値（仕様値）で与えられる。また、清浄度を維持するためには、風速Ｖ１、Ｖ２それぞれの最低風速は、０．１ｍ／ｓ以上とする必要がある。
【００３７】
そして、例えば図３に示すように、この求めたＱＴが前記使用予定の送風機１１１におけるＰＱ曲線と交差すれば、この前記使用予定の送風機１１１が使用可能なので、この送風機１１１が利用可能であり、本決めできる。一方、この求めたＱＴが前記使用予定の送風機１１１におけるＰＱ曲線と交差しない場合には、前記使用予定の送風機１１１では能力不足で使用できないため、別の送風機１１１が仮に決められ、上述の処理が繰り返される。
【００３８】
このような構成の気流整流システムＳおよび気流整流装置１２では、送風装置１１が駆動されると、所定の流速を持つ気流が生成され、この生成された気流は、流入開口ＯＰ１へ流入し、第１多孔板１２１、第２多孔板１２２および第３多孔板１２３で整流され、流出開口ＯＰ２から流出する。この際に、第２および第３多孔板１２２、１２３間に、互いに流通抵抗の異なる複数の領域を形成する流通抵抗部１２４を備えるので、前記気流は、前記複数の領域ごとにそれぞれ異なる流通抵抗が付与され、前記複数の領域ごとにそれぞれ異なる流速で流出開口ＯＰ２から流出する。図２に示す例では、前記複数の領域は、第１および第２領域ＡＲ１、ＡＲ２であり、第１領域ＡＲ１を流通する第１気流は、第１領域ＡＲ２が前記貫通開口であるので、ほぼ流入時の第１流速で流出し、第２領域ＡＲ２を流通する第２気流は、流入時の流速より流通抵抗部１２４によって低減された第２流速で流出する。したがって、この図２に示す例では、第１領域ＡＲ１を流れる第１気流の第１流速は、第２領域ＡＲ２を流れる第２気流の第２流速よりも速い。
【００３９】
このように本実施形態における気流整流装置１２は、流通抵抗部１２４を備えるので、流入開口ＯＰ１から受け入れた気流から、複数の領域それぞれを流れる流速の異なる複数の気流を形成できるので、従来のように、気流整流装置および送風装置を複数の領域の個数に応じた個数だけ用意する必要がない。このため、上記気流整流装置１２は、より省スペースでより低コストで、流速の異なる複数の領域を形成できる。
【００４０】
本実施形態によれば、第１多孔板１２１（または後述のフィルタ部）、第２多孔板１２２および第３多孔板１２３をこの順で所定の各間隔を空けて流入開口ＯＰ１から流出開口ＯＰ２に至る方向に沿って配設するという簡単な構成で、後述の実施例で実証するように、前記整流部を形成できる。
【００４１】
上記気流整流装置１２は、第１領域ＡＲ１を取り囲むように第２領域ＡＲ２を形成するので、第１領域ＡＲ１を流れる第１気流を、第２領域ＡＲ２を流れる第２気流で外部から遮蔽して保護できる。また、第１領域ＡＲ１を流れる第１気流の第１流速を、第２領域ＡＲ２を流れる第２気流の第２流速よりも速くなるように、気流整流装置１２が構成されることで、全体を第１流速にする場合に較べて風量が少なくなり、省電力化できる。
【００４２】
そして、本実施形態における気流整流システムＳは、上述の気流整流装置１２を備えるので、１個の送風装置１１で生成された気流から、複数の領域それぞれを流れる流速の異なる複数の気流を形成できるので、従来のように、気流整流装置および送風装置を備える気流整流システムを複数の領域の個数に応じた個数だけ用意する必要がない。このため、上記気流整流システムＳは、より省スペースでより低コストで、流速の異なる複数の領域を形成できる。
【００４３】
なお、上述では、第１領域ＡＲ１の第１輪郭形状および第２領域ＡＲ２の第２輪郭形状は、それぞれ、四角形であったが、これに限定されるものではなく、任意の形状であって良い。例えば、第１領域ＡＲ１の第１輪郭形状および第２領域ＡＲ２の第２輪郭形状は、それぞれ、円形であって良い。
【００４４】
（第１実施例）
次に、第１実施例について説明する。このような気流整流システムＳおよび気流整流装置１２の性能を実証するため、実証試験が実施された。
【００４５】
図４は、第１実施例の気流整流システムの構成を示す断面図である。図５は、前記第１実施例の気流整流システムにおける流速（風速）の測定位置を説明するための平面図である。
【００４６】
この第１実施例の気流整流システムＳＡは、図１を用いて説明した上述の気流整流システムＳと同様であり、図４に示すように、送風装置１１Ａおよび気流整流装置１２Ａを備える。送風装置１１Ａは、ファンフィルタユニット（ＦＦＵ）からフィルタを省略してファンのみとした装置である。気流整流装置１２Ａは、パンチング板の第１多孔板１２１Ａと、メッシュスクリーンの第２多孔板１２２Ａと、メッシュスクリーンの第３多孔板１２３Ａとを各間隔を空けて重ねて備え、前記第２多孔板と前記第３多孔板との間には、流通抵抗部１２４Ａをさらに備える。
【００４７】
パンチング板の第１多孔板１２１Ａとメッシュスクリーンの第２多孔板１２２Ａとの間の間隔は、４０ｍｍである。メッシュスクリーンの第２多孔板１２２Ａとメッシュスクリーンの第３多孔板１２３Ａとの間の間隔は、これらの間に挟まれる流通抵抗部１２４Ａに厚みに応じた長さであり、メッシュスクリーンの第２多孔板１２２Ａ、流通抵抗部１２４Ａおよびメッシュスクリーンの第３多孔板１２３Ａは、後述の第１ないし第１４ケースの各ケースの構成から成る。メッシュスクリーンの第２多孔板１２２Ａ、流通抵抗部１２４Ａおよびメッシュスクリーンの第３多孔板１２３Ａは、この順で直接的に重ねられた。前記第１多孔板１２１Ａとしての前記パンチング板には、１ｍｍ厚のＳＵＳ３０４に直径１．５ｍｍの複数の貫通開口が３ｍｍピッチであって開口率２２．７％で形成されている。これらパンチング板および各メッシュスクリーンは、６１０ｍｍ×９１５ｍｍである。
【００４８】
そして、図４および図５に示すように、６１０ｍｍ×３００ｍｍの長方形の交差面領域において、約２／３の一方領域が第１領域ＡＲａ１とされ、残部の約１／３の他方領域が第２領域ＡＲａ２とされ、次の各ケースで流通抵抗部１２４Ａが配設されている。
【００４９】
第１ケースでは、第２多孔板１２２Ａおよび第３多孔板１２３Ａそれぞれとして１００メッシュ（＃１００）のメッシュスクリーンが用いられた。以下の第２ないし第６ケースにおける各第２多孔板１２２Ａおよび各第３多孔板１２３Ａも同様である。流通抵抗部１２４Ａとして第２領域ＡＲａ２に配置された２枚重ねのＰＳ／４００Ｎが用いられた。すなわち、この第１ケースでは、第１領域ＡＲａ１には、流通抵抗部１２４Ａは、無く、第１領域ＡＲａ１は、開口となっている。以下の第２および第３ケースも同様である。
【００５０】
第２ケースでは、流通抵抗部１２４Ａとして第２領域ＡＲａ２に配置された２枚重ねのＰＳ／６００Ｎが用いられた。
【００５１】
第３ケースでは、流通抵抗部１２４Ａとして第２領域ＡＲａ２に配置された１枚のＰＡ／３５０ＨＬが用いられた。
【００５２】
第４ケースでは、流通抵抗部１２４Ａとして第１領域ＡＲａ１に配置された１枚のＰＳ／４００Ｎと第２領域ＡＲａ２に配置された１枚のＰＡ／３５０ＨＬとが用いられた。
【００５３】
第５ケースでは、流通抵抗部１２４Ａとして第１領域ＡＲａ１に配置され互いに重ねられた１枚のＰＳ／１５０Ｎおよび１枚のＰＳ／４００Ｎと、第２領域ＡＲａ２に配置された１枚のＰＡ／３５０ＨＬとが用いられた。
【００５４】
第６ケースでは、流通抵抗部１２４Ａとして第１領域ＡＲａ１に配置された１枚のＰＳ／４００と、第２領域ＡＲａ２に配置され互いに重ねられた１枚のＰＡ／３５０ＨＬおよび１枚のＰＳ／４００とが用いられた。
【００５５】
第７ケースでは、第２多孔板１２２Ａとして６０メッシュ（＃６０）のメッシュスクリーンが用いられ、第３多孔板１２３Ａとして８０メッシュ（＃８０）のメッシュスクリーンが用いられた。流通抵抗部１２４Ａとして第２領域ＡＲａ２に配置された２枚重ねのＰＳ／４００Ｎが用いられた。以下の第８ないし第１０ケースにおける各流通抵抗部１２４Ａも同様である。
【００５６】
第８ケースでは、前記第７ケースとは逆に、第２多孔板１２２Ａとして８０メッシュ（＃８０）のメッシュスクリーンが用いられ、第３多孔板１２３Ａとして６０メッシュ（＃６０）のメッシュスクリーンが用いられた。
【００５７】
第９ケースでは、第２多孔板１２２Ａとして１００メッシュ（＃１００）のメッシュスクリーンが用いられ、第３多孔板１２３Ａとして６０メッシュ（＃６０）のメッシュスクリーンが用いられた。
【００５８】
第１０ケースでは、前記第９ケースとは逆に、第２多孔板１２２Ａとして６０メッシュ（＃６０）のメッシュスクリーンが用いられ、第３多孔板１２３Ａとして１００メッシュ（＃１００）のメッシュスクリーンが用いられた。
【００５９】
第１１ケースでは、前記第７ケースと同様に、第２多孔板１２２Ａとして６０メッシュ（＃６０）のメッシュスクリーンが用いられ、第３多孔板１２３Ａとして８０メッシュ（＃８０）のメッシュスクリーンが用いられた。流通抵抗部１２４Ａとして第２領域ＡＲａ２に配置された２枚重ねのＰＳ／３００Ｎが用いられた。以下の第１２ないし第１４ケースにおける各流通抵抗部１２４Ａも同様である。
【００６０】
第１２ケースでは、前記第１１ケースとは逆に（前記第８ケースと同様に）、第２多孔板１２２Ａとして８０メッシュ（＃８０）のメッシュスクリーンが用いられ、第３多孔板１２３Ａとして６０メッシュ（＃６０）のメッシュスクリーンが用いられた。
【００６１】
第１３ケースでは、前記第９ケースと同様に、第２多孔板１２２Ａとして１００メッシュ（＃１００）のメッシュスクリーンが用いられ、第３多孔板１２３Ａとして６０メッシュ（＃６０）のメッシュスクリーンが用いられた。
【００６２】
第１４ケースでは、前記第１３ケースとは逆に（前記第１０ケースと同様に）、第２多孔板１２２Ａとして６０メッシュ（＃６０）のメッシュスクリーンが用いられ、第３多孔板１２３Ａとして１００メッシュ（＃１００）のメッシュスクリーンが用いられた。
【００６３】
６０メッシュ（＃６０）のメッシュスクリーンは、線材径０．１４ｍｍの線材を開口率４４％で編んだものである。８０メッシュ（＃８０）のメッシュスクリーンは、線材径０．１２ｍｍの線材を開口率３８％で編んだものである。１００メッシュ（＃１００）のメッシュスクリーンは、線材径０．１ｍｍの線材を開口率３７％で編んだものである。
【００６４】
これらＰＳ／１５０Ｎ、ＰＳ／３００Ｎ、ＰＳ／４００Ｎ、ＰＳ／６００ＮおよびＰＡ／３５０ＨＬは、それぞれ、日本バイリーン株式会社製のフィレドン  エアフィルタの型式名であり、これらは、不織布で形成されている。２０１７年４月発行のカタログによれば、標準仕様で、ＰＳ／１５０Ｎ、ＰＳ／３００Ｎ、ＰＳ／４００ＮおよびＰＳ／６００Ｎは、材質がポリエステル／モダアクリルであり、各厚みが、それぞれ、８±２ｍｍ、１０±２ｍｍ、１４±２ｍｍおよび２０±３ｍｍであり、各初期圧力損失が、３０Ｐａ、５４Ｐａ、６４Ｐａおよび９０Ｐａである。ＰＡ／３５０ＨＬは、前記カタログにとれば、標準仕様で、材質がポリオレフィンであり、厚みが１８±３ｍｍであり、初期圧力損失が、４５Ｐａである。
【００６５】
このように第２多孔板１２２Ａ、流通抵抗部１２４Ａおよび第３多孔板１２３Ａを様々なケースに変えた気流整流システムＳＡおよび気流整流装置１２Ａに対し、吹き出し面（気流整流装置１２Ａの流出開口の面）から６０ｍｍの交差面（測定面）における図５に示す各位置（各測定位置）で、風速計によって風速が測定された。すなわち、前記測定面における各測定位置は、それぞれ、図５に示すように、第１領域ＡＲａ１に当たる領域では、紙面水平方向に、外周左端から１０７．５ｍｍ、３０７．５（＝１０７．５＋２００）ｍｍおよび５０７．５（＝１０７．５＋２００＋２００）ｍｍの各位置（１Ａ）、（２Ａ）、（３Ａ）と、紙面垂直方向に、外周上端から８０ｍｍ、２３０（＝８０＋１５０）ｍｍ、３８０（＝８０＋１５０＋１５０）および５３０（＝８０＋１５０＋１５０＋１５０）ｍｍの各位置（ＡＡ）、（ＢＡ）、（ＣＡ）、（ＤＡ）との交点であり、第２領域ＡＲａ２に当たる領域では、紙面水平方向に、外周左端から７１５（＝６１５＋１００）ｍｍおよび８１５（＝６１５＋１００＋１００）ｍｍの各位置（４Ａ）、（５Ａ）と、紙面垂直方向に、外周上端からの各位置（ＡＡ）、（ＢＡ）、（ＣＡ）、（ＤＡ）との交点である。前記風速計は、日本カノマックス格式会社製クリモマスターＭＯＤＥＬ６５３３（０．０５〜５．０ｍ／ｓ）である。
【００６６】
前記第１ないし第１４ケースにおける各測定位置の各測定結果は、それぞれ、表１ないし表１４に示す通りである。なお、風速は、１０秒間の平均値である。
【００６７】
【表１】
2019100636.tif 000003
【００６８】
【表２】
2019100636.tif 000004
【００６９】
【表３】
2019100636.tif 000005
【００７０】
【表４】
2019100636.tif 000006
【００７１】
【表５】
2019100636.tif 000007
【００７２】
【表６】
2019100636.tif 000008
【００７３】
【表７】
2019100636.tif 000009
【００７４】
【表８】
2019100636.tif 000010
【００７５】
【表９】
2019100636.tif 000011
【００７６】
【表１０】
2019100636.tif 000012
【００７７】
【表１１】
2019100636.tif 000013
【００７８】
【表１２】
2019100636.tif 000014
【００７９】
【表１３】
2019100636.tif 000015
【００８０】
【表１４】
2019100636.tif 000016
【００８１】
表１ないし表１４から分かるように、第２多孔板１２２Ａが少なくとも６０メッシュないし１００メッシュの範囲、第３多孔板１２３Ａが少なくとも６０メッシュないし１００メッシュの範囲、そして、流通抵抗部１２４Ａが少なくとも４５Ｐａ（１枚のＰＡ／３５０ＨＬの場合）ないし１２８Ｐａ（２枚のＰＳ／４００Ｎの場合）の範囲において、第１実施例の気流整流システムＳＡおよび気流整流装置１２Ａは、第１および第２領域ＡＲａ１、ＡＲａ２それぞれに当たる各領域で、各気流は、互いに異なる風速で整流されている。
【００８２】
（第１ないし第３変形形態）
上述の気流整流システムＳは、ファンフィルタユニット（ＦＦＵ）からフィルタを省略した装置を送風装置１１として備えたが、気流整流装置１２および気流整流システムＳに備えられる送風装置１１は、流速を持つ気流を生成する装置であれば、これに限定されない。送風装置１１は、例えば、軸流ファン、ターボファン、シロッコファンおよびファンフィルタユニット（ＦＦＵ）等であっても良い。
【００８３】
図６は、第１変形形態の気流整流システムの構成を説明するための図である。図７は、第２変形形態の気流整流システムの構成を説明するための図である。
【００８４】
より具体的な一例が図６および図７それぞれに示されている。図６には、シロッコファン１１Ｂを送風装置として用いた気流整流システムＳＢが示されている。図７には、ＦＦＵ１１Ｃの一部を送風装置として用いた気流整流システムＳＣが示されている。
【００８５】
すなわち、図６に示す気流整流システムＳＢは、流速を持つ気流を生成するシロッコファン１１Ｂと、このシロッコファン１１Ｂで生成された気流を受け入れて整流する気流整流装置１２Ｂとを備える。この気流整流装置１２Ｂは、第１実施例と同様に、パンチング板の第１多孔板と、メッシュスクリーンの第２多孔板と、メッシュスクリーンの第３多孔板とを所定の各間隔を空けて重ねて備え、前記第２多孔板と前記第３多孔板との間には、交差面を２分した一方領域に流通抵抗部をさらに備える。このような構成では、気流整流システムＳＢは、シロッコファン１１Ｂで生成された気流から、前記交差面を２分した他方領域を通る、気流整流装置１２Ｂで整流された第１流速の第１気流と、前記交差面を２分した一方領域を通る、気流整流装置１２Ｂで整流された第２流速の第２気流とを形成する。そして、前記第２気流の第２流速は、前記流通抵抗部により、前記第１気流の第１流速より遅い。
【００８６】
一方、図７に示す気流整流システムＳＣは、流速を持つ気流を生成するＦＦＵ１１Ｃと、このＦＦＵ１１ＣのＨＥＰＡフィルタ（Ｈｉｇｈ  Ｅｆｆｉｃｉｅｎｃｙ  Ｐａｒｔｉｃｕｌａｔｅ  Ａｉｒ  Ｆｉｌｔｅｒ）を第１多孔板の代わりに用い、ＦＦＵ１１Ｃで生成された気流を受け入れて整流する気流整流装置１２Ｃとを備える。ＨＥＰＡフィルタは、整流機能を持つので、第１多孔板と代替できる。この気流整流装置１２Ｃは、第１多孔板の代わりに用いられる、ＦＦＵ１１ＣのＨＥＰＡフィルタと、メッシュスクリーンの第２多孔板と、メッシュスクリーンの第３多孔板とを所定の各間隔を空けて重ねて備え、前記第２多孔板と前記第３多孔板との間には、交差面を２分した一方領域に流通抵抗部をさらに備える。このような構成では、気流整流システムＳＣは、ＦＦＵ１１Ｃで生成された清浄な気流から、前記交差面を２分した他方領域を通る、気流整流装置１２Ｃで整流された第１流速の第１気流と、前記交差面を２分した一方領域を通る、気流整流装置１２Ｃで整流された第２流速の第２気流とを形成する。そして、前記第２気流の第２流速は、前記流通抵抗部により、前記第１気流の第１流速より遅い。ＨＥＰＡフィルタが用いられることから、より清浄度が向上する。
【００８７】
なお、ＨＥＰＡフィルタに代え、ＵＬＰＡ（Ｕｌｔｒａ  Ｌｏｗ  Ｐａｒｔｉｃｌａｔｅ  Ａｉｒ）フィルタ、高性能フィルタおよび中性能フィルタのうちのいずれかが用いられても良い。高性能フィルタとは、２μｍ試験粒子を用い、比色法（光散乱積算法）で９５％以上のフィルタであり、中性能フィルタとは、２個のクラスを含み、２μｍ試験粒子を用い、比色法（光散乱積算法）で６０％以上のクラスと９０％以上のクラスのフィルタである。なお、高性能フィルタと中性能フィルタとを合わせて中高性能フィルタと呼ばれることもある。また、ＨＥＰＡフィルタは、０．３μｍ試験粉塵を用い、計数法で９９．９７％以上のフィルタであり、ＵＬＰＡフィルタは、０．１５μｍ試験粉塵を用い、計数法で９９．９９９５％以上のフィルタである。
【００８８】
また、気流整流システムＳは、プッシュ・プル型であってもよい。図８は、第３変形形態の気流整流システムの構成を説明するための図である。このプッシュ・プル型の気流整流システムＳＤは、例えば、図８に示すように、流速を持つ気流を生成する送風装置１１Ｄと、この送風装置１１Ｄで生成された気流を受け入れて整流する第１気流整流装置１２Ｄ−１と、この第１気流整流装置１２Ｄ−１で整流された気流を受け入れる第２気流整流装置１２Ｄ−２と、この第２気流整流装置１２Ｄ−２における流出開口から流出する気流を外部へ排気する排気装置１３Ｄとを備え、これら第１および第２気流整流装置１２Ｄ−１、１２Ｄ−２は、互いに所定の間隔を空けて配設されている。すなわち、第１および第２気流整流装置１２Ｄ−１、１２Ｄ−２は、第１気流整流装置１２Ｄ−１における流出開口と第２気流整流装置１２Ｄ−２における流入開口とが所定の第３間隔を空けて互いに対向するように配設されている。送風装置１１Ｄは、例えば、シロッコファン備えて構成され、排気装置１３Ｄは、例えば、シロッコファン備えて構成される。第１および第２気流整流装置１２Ｄ−１、１２Ｄ−２は、それぞれ、例えば、図６に示す気流整流装置１２Ｂと同様に、パンチング板の第１多孔板と、メッシュスクリーンの第２多孔板と、メッシュスクリーンの第３多孔板とを所定の各間隔を空けて重ねて備え、前記第２多孔板と前記第３多孔板との間には、交差面を２分した一方領域に流通抵抗部をさらに備える。そして、このプッシュ・プル型の気流整流システムＳＥでは、第１および第２気流整流装置１２Ｄ−１、１２Ｄ−２は、第１気流整流装置１２Ｄ−１の一方領域と第２気流整流装置１２Ｄ−２の一方領域とが互いに向き合うように、かつ、第１気流整流装置１２Ｄ−１の他方領域と第２気流整流装置１２Ｄ−２の他方領域とが互いに向き合うように、前記気流の流通方向で前記所定の間隔（前記所定の第３間隔）を空けて配設されている。このようなプッシュ・プル型の気流整流システムＳＤは、互いに流速の異なる第１気流と第２気流とのプッシュ・プル気流を形成でき、例えば、エアカーテンを形成するシステムとして利用できる。
【００８９】
次に、第２実施例について説明する。このようなプッシュ・プル型の気流整流システムＳＤおよび気流整流装置１２Ｄの性能を実証するため、実証試験が実施された。
【００９０】
（第２実施例）
図９は、第２実施例の気流整流システムの構成を示す断面図である。図１０は、第２実施例の気流整流システムにおける流通抵抗部の設計値を説明するための平面図である。図１１は、前記第２実施例の気流整流システムにおける流速（風速）の測定位置を説明するための平面図である。
【００９１】
この第２実施例の気流整流システムＳＥは、図８を用いて説明した上述の気流整流システムＳＤと同様にプッシュ・プル型であり、図９に示すように、送風装置１１Ｅ、第１および第２気流整流装置１２Ｅ−１、１２Ｅ−２および排気装置１３Ｅを備える。送風装置１１Ｅおよび排気装置１３Ｅは、それぞれ、ファンフィルタユニット（ＦＦＵ）からフィルタを省略してファンのみとした装置である。第１および第２気流整流装置１２Ｅ−１、１２Ｅ−２は、それぞれ、パンチング板の第１多孔板と、メッシュスクリーンの第２多孔板と、メッシュスクリーンの第３多孔板とを各間隔を空けて重ねて備え、前記第２多孔板と前記第３多孔板との間には、図１０に示す流通抵抗部１２４Ｅをさらに備える。すなわち、プッシュ・プルにおける吹き出し面（第１気流整流装置１２Ｅ−１の流出開口の面）および吸い込み面（第２気流整流装置１２Ｅ−２の流入開口の面）には、同型の気流整流装置１２Ｅ（１２Ｅ−１、１２Ｅ−２）が配設されている。これら吹き出し面と吸い込み面との間隔は、１２００ｍｍである。前記第１多孔板としてのパンチング板には、１．５ｍｍ厚のＳＵＳ３０４に直径３ｍｍの複数の貫通開口が５ｍｍピッチであって開口率３２．４％で形成されている。前記第２および第３多孔板としての各メッシュスクリーンは、線材径０．１ｍｍの線材を開口率３７％で編んだ１００メッシュ（＃１００）である。パンチング板の第１多孔板とメッシュスクリーンの第２多孔板との間の間隔は、３０ｍｍである。これらパンチング板および各メッシュスクリーンは、１０００ｍｍ×１０００ｍｍの正方形である。そして、流通抵抗部１２４Ｅは、図９に示すように、外形１０００ｍｍ×１０００ｍｍの正方形であり、その中央部における６００ｍｍ×６００ｍｍの正方形の第１領域ＡＲｅ１に配置された１枚のＰＳ／４００Ｎと、第１領域ＡＲｅ１を囲む、外形１０００ｍｍ×１０００ｍｍで幅２００ｍｍの環状体の第２領域ＡＲｅ２に配置され互いに重ねられた１枚のＰＡ／３５０ＨＬおよび１枚のＰＳ／４００Ｎとを備える。これらメッシュスクリーンの第２多孔板、流通抵抗部１２４Ｅおよびメッシュスクリーンの第３多孔板は、この順で直接的に重ねられている。
【００９２】
このような構成のプッシュ・プル型の気流整流システムＳＥおよび気流整流装置１２Ｅに対し、吹き出し面（第１気流整流装置１２Ｅ−１の流出開口の面）から６０ｍｍの交差面（第１測定面）における図１１に示す各位置（各第１測定位置）、および、吸い込み面（第２気流整流装置１２Ｅ−２の流入開口の面）から６０ｍｍの交差面（第２測定面）における図１１に示す各位置（各第２測定位置）で、風速計によって風速が測定された。すなわち、前記第１測定面における各第１測定位置、および、前記第２測定面における各第２測定位置は、それぞれ、図１１に示すように、第１領域ＡＲｅ１に当たる領域では、紙面水平方向に、外周左端から３００ｍｍ、５００（＝３００＋２００）ｍｍおよび７００（＝３００＋２００＋２００）ｍｍの各位置（１ｅ）、（２ｅ）、（３ｅ）と、紙面垂直方向に、外周上端から３００ｍｍ、５００（＝３００＋２００）ｍｍおよび７００（＝３００＋２００＋２００）ｍｍの各位置（Ａｅ）、（Ｂｅ）、（Ｃｅ）との交点であり、第２領域ＡＲｅ２に当たる領域では、紙面水平方向に、外周左端から１００ｍｍ、５００（＝１００＋４００）ｍｍおよび９００（＝１００＋４００＋４００）ｍｍの各位置（１Ｅ）、（２Ｅ）、（３Ｅ）と、紙面垂直方向に、外周上端から１００ｍｍ、５００（＝１００＋４００）ｍｍおよび９００（＝１００＋４００＋４００）ｍｍの各位置（ＡＥ）、（ＢＥ）、（ＣＥ）との交点である。前記風速計は、上述の日本カノマックス格式会社製クリモマスターＭＯＤＥＬ６５３３（０．０５〜５．０ｍ／ｓ）である。
【００９３】
前記第１測定面における各第１測定位置の各測定結果は、表１５および表１６に示す通りであり、前記第２測定面における各第２測定位置の各測定結果は、表１７および表１８に示す通りである。なお、風速は、１０秒間の平均値である。
【００９４】
【表１５】
2019100636.tif 000017
【００９５】
【表１６】
2019100636.tif 000018
【００９６】
【表１７】
2019100636.tif 000019
【００９７】
【表１８】
2019100636.tif 000020
【００９８】
表１５ないし表１８から分かるように、第２実施例のプッシュ・プル型の気流整流システムＳＥは、第１および第２領域ＡＲｅ１、ＡＲｅ２それぞれに当たる各領域で、各気流は、互いに異なる風速で整流されている。
【００９９】
この第２実施例のプッシュ・プル型の気流整流システムＳＥは、第１気流整流装置１２Ｅ−１における流出開口と第２気流整流装置１２Ｅ−２における流入開口との間の距離を約１２００ｍｍとした場合でも、第１気流と第２気流とを仕切るガイド（いわゆるアイリッド）を用いること無く、互いに流速の異なる第１気流と第２気流とのプッシュ・プル気流を形成できる。
【０１００】
（第４変形形態および第３実施例）
上述の気流整流システムＳおよび気流整流装置１２は、第１多孔板１２１、第２多孔板１２２、流通抵抗部１２４および第３多孔板１２３を備えて構成されたが、第３多孔板１２３を省略し（第３多孔板１２３を備えずに）、第１多孔板１２１、第２多孔板１２２および流通抵抗部１２４を備えて構成されても良い。このような第４変形形態の気流整流システムＳＡ’および気流整流装置１２Ａ’を実証した第３実施例は、上述の第１実施例の気流整流システムＳＡおよび気流整流装置１２Ａから第３多孔板１２３Ａを省略したものである。そして、第２多孔板１２２Ａおよび流通抵抗部１２４Ａは、次の第１５ないし第１７ケースの各ケースの構成から成る。
【０１０１】
第１５ケースでは、第２多孔板１２２Ａとして１００メッシュ（＃１００）のメッシュスクリーンが用いられた。以下の第１６および第１７ケースにおける第２多孔板１２２Ａも同様である。流通抵抗部１２４Ａとして第１領域ＡＲａ１に配置された３枚重ねのＰＳ／１５０Ｎが用いられた。
【０１０２】
第１６ケースでは、流通抵抗部１２４Ａとして第１領域ＡＲａ１に配置された１枚のＰＳ／４００Ｎが用いられた。
【０１０３】
第１７ケースでは、流通抵抗部１２４Ａとして第１領域ＡＲａ１に配置された２枚重ねのＰＳ／４００Ｎが用いられた。
【０１０４】
これら第１５ないし第１７ケースにおける各測定位置の各測定結果は、それぞれ、表１９ないし表２１に示す通りである。なお、風速は、１０秒間の平均値である。
【０１０５】
【表１９】
2019100636.tif 000021
【０１０６】
【表２０】
2019100636.tif 000022
【０１０７】
【表２１】
2019100636.tif 000023
【０１０８】
表１９ないし表２１から分かるように、第１実施例の気流整流システムＳＡから第３多孔板１２３Ａを省略した第３実施例の気流整流システムＳＡ’および気流整流装置１２Ａ’は、第１および第２領域ＡＲａ１、ＡＲａ２それぞれに当たる各領域で、各気流は、互いに異なる風速で整流されている。
【０１０９】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【符号の説明】
【０１１０】
Ｓ、ＳＡ、ＳＡ’、ＳＢ、ＳＣ、ＳＤ、ＳＥ  気流整流システム
１１  送風装置
１２、１２Ａ、１２Ａ’、１２Ｂ、１２Ｃ、１２Ｄ、１２Ｅ  気流整流装置
１２１  第１多孔板
１２２  第２多孔板
１２３  第３多孔板
１２４  流通抵抗部
【図１】
2019100636.tif 000024
【図２】
2019100636.tif 000025
【図３】
2019100636.tif 000026
【図４】
2019100636.tif 000027
【図５】
2019100636.tif 000028
【図６】
2019100636.tif 000029
【図７】
2019100636.tif 000030
【図８】
2019100636.tif 000031
【図９】
2019100636.tif 000032
【図１０】
2019100636.tif 000033
【図１１】
2019100636.tif 000034